(57)【特許請求の範囲】
【請求項１】
特定セルを形成するホーム基地局と、
前記特定セルへのユーザ端末のハンドオーバ手順において前記特定セルへのアクセス権について前記ユーザ端末の認証を行う移動管理装置と、
を含む移動通信システムに適用される通信制御方法であって、
前記ユーザ端末が、自身がアクセス可能な特定セルのリストを更新するステップＡと、
前記リストが更新されてからの経過時間が所定時間内であることに応じて、前記ハンドオーバ手順において前記移動管理装置による前記ユーザ端末の認証を省略するステップＢと、
前記ユーザ端末が、前記ハンドオーバ手順の前において、前記特定セルに関する測定報告をサービングセルに送信するステップＣと、
を有し、
前記ステップＣにおいて、前記ユーザ端末は、前記経過時間又は前記リストの更新時刻に関する所定情報を、前記測定報告と共に送信することを特徴とする通信制御方法。
【請求項２】
前記所定情報は、前記経過時間が前記所定時間内であるか否かを示すことを特徴とする請求項１に記載の通信制御方法。
【請求項３】
前記ステップＡにおいて、前記ユーザ端末は、前記移動管理装置からのリスト更新メッセージに応じて前記リストを更新し、
前記リスト更新メッセージは、前記所定時間を指定する情報を含むことを特徴とする請求項２に記載の通信制御方法。
【請求項４】
前記サービングセルを形成する基地局が、前記特定セルへの前記ユーザ端末のハンドオーバを行うと判断した場合で、かつ、前記所定情報に基づいて前記経過時間が前記所定時間内であると判断した場合に、前記移動管理装置による前記ユーザ端末の認証を省略するとともに、ハンドオーバ要求を前記ホーム基地局に送信するステップＤをさらに有することを特徴とする請求項１に記載の通信制御方法。
【請求項５】
前記基地局が、前記特定セルへの前記ユーザ端末のハンドオーバを行うと判断した場合で、かつ、前記所定情報に基づいて前記経過時間が前記所定時間を超過していると判断した場合に、前記ユーザ端末の認証を前記移動管理装置に要求するステップＥをさらに有することを特徴とする請求項４に記載の通信制御方法。
【請求項６】
前記サービングセルを形成する基地局が、前記特定セルへの前記ユーザ端末のハンドオーバを行うと判断した場合に、ハンドオーバ要求と共に前記所定情報を前記ホーム基地局に送信するステップＦをさらに有することを特徴とする請求項１に記載の通信制御方法。
【請求項７】
前記ホーム基地局が、前記所定情報に基づいて前記経過時間が前記所定時間内であると判断した場合に、前記移動管理装置による前記ユーザ端末の認証を省略するとともに、前記ハンドオーバ要求に対する応答を前記基地局に送信するステップＧをさらに有することを特徴とする請求項６に記載の通信制御方法。
【請求項８】
前記ホーム基地局が、前記所定情報に基づいて前記経過時間が前記所定時間を超過していると判断した場合に、前記ユーザ端末の認証を前記移動管理装置に要求するステップＨをさらに有することを特徴とする請求項７に記載の通信制御方法。
【請求項９】
特定セルへのハンドオーバ手順において前記特定セルへのアクセス権について認証を行う移動管理装置を含む移動通信システムにおいて、サービングセルから前記特定セルへのハンドオーバを行うユーザ端末であって、
自身がアクセス可能な特定セルのリストを更新する制御を行う制御部と、
前記特定セルに関する測定報告を前記サービングセルに送信する送信部と、
を有し、
前記送信部は、前記リストが更新されてからの経過時間又は前記リストの更新時刻に関する所定情報を、前記測定報告と共に送信することを特徴とするユーザ端末。
【請求項１０】
特定セルへのハンドオーバ手順において前記特定セルへのアクセス権について認証を行う移動管理装置と、自身がアクセス可能な特定セルのリストを更新するユーザ端末と、を含む移動通信システムにおいて、前記ユーザ端末のサービングセルを形成する基地局であって、
前記リストが更新されてからの経過時間が所定時間内であることに応じて、前記ハンドオーバ手順において前記移動管理装置による前記ユーザ端末の認証を省略する制御を行う制御部と、
前記ハンドオーバ手順の前において、前記特定セルに関する測定報告を、前記経過時間又は前記リストの更新時刻に関する所定情報と共に前記ユーザ端末から受信する受信部と、
を有することを特徴とする基地局。
【請求項１１】
特定セルへのハンドオーバ手順において前記特定セルへのアクセス権について認証を行う移動管理装置と、自身がアクセス可能な特定セルのリストを更新するユーザ端末と、を含む移動通信システムにおいて、前記特定セルを形成するホーム基地局であって、
前記リストが更新されてからの経過時間が所定時間内であることに応じて、前記ハンドオーバ手順において前記移動管理装置による前記ユーザ端末の認証を省略する制御を行う制御部と、
前記ユーザ端末のサービングセルを形成する基地局から、前記経過時間又は前記リストの更新時刻に関する所定情報を受信する受信部と、
を有し、
前記所定情報は、前記ハンドオーバ手順の前において、前記特定セルに関する測定報告と共に前記ユーザ端末によって前記サービングセルに送信されることを特徴とするホーム基地局。
【発明の詳細な説明】
【技術分野】
【０００１】
本発明は、移動通信システムにおける通信制御方法、ユーザ端末、基地局、及びホーム基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、住居や会社に設けられる小型基地局であるホーム基地局の仕様が策定されている（非特許文献１参照）。【０００３】
ホーム基地局は、ＣＳＧ（Ｃｌｏｓｅｄ  Ｓｕｂｓｃｒｉｂｅｒ  Ｇｒｏｕｐ）セル又はハイブリッドセルなどの特定セルを形成する。ＣＳＧセルは、アクセス権を有するユーザ端末（「ＣＳＧメンバー」と称される）のみがアクセス可能なセルである。ハイブリッドセルは、ＣＳＧメンバーでなくてもアクセス可能であるが、ＣＳＧメンバーが有利に取り扱われるセルである。【０００４】
なお、「セル」は、無線通信エリアの最小単位を示す用語として使用される他に、ユーザ端末との無線通信を行う機能を示す用語としても使用されることに留意すべきである。【０００５】
特定セルへのユーザ端末のハンドオーバ手順においては、コアネットワークに含まれる移動管理装置が、特定セルへのアクセス権についてユーザ端末の認証（アクセス制御）を行う。
【先行技術文献】
【非特許文献】
【０００６】
【非特許文献１】３ＧＰＰ技術仕様  「ＴＳ  ３６．３００  Ｖ１１．０．０」  ２０１１年１２月
【発明の概要】
【０００７】
しかしながら、ハンドオーバ手順の過程で移動管理装置がユーザ端末の認証を行う場合、コアネットワークを経由するハンドオーバ手順を行わざるを得なくなる。このため、ハンドオーバ手順に要する時間が長くなったり、コアネットワークのトラフィックが増加したりする問題がある。
【０００８】
そこで、本発明は、特定セルへのハンドオーバ手順を効率化することができる通信制御方法、ユーザ端末、基地局、及びホーム基地局を提供することを目的とする。
【０００９】
本発明の通信制御方法は、特定セルを形成するホーム基地局と、前記特定セルへのユーザ端末のハンドオーバ手順において前記特定セルへのアクセス権について前記ユーザ端末の認証を行う移動管理装置と、を含む移動通信システムに適用される通信制御方法であって、前記ユーザ端末が、自身がアクセス可能な特定セルのリストを更新するステップＡと、前記リストが更新されてからの経過時間が所定時間内であることに応じて、前記ハンドオーバ手順において前記移動管理装置による前記ユーザ端末の認証を省略するステップＢと、前記ユーザ端末が、前記ハンドオーバ手順の前において、前記特定セルに関する測定報告をサービングセルに送信するステップＣと、を有し、前記ステップＣにおいて、前記ユーザ端末は、前記経過時間又は前記リストの更新時刻に関する所定情報を、前記測定報告と共に送信することを特徴とする。
【図面の簡単な説明】
【００１０】
【図１】図１は、移動通信システムの構成図である。
【図２】図２は、移動通信システムで使用される無線フレームの構成図である。
【図３】図３は、ＵＥのブロック図である。
【図４】図４は、ｅＮＢのブロック図である。
【図５】図５は、ＭＭＥのブロック図である。
【図６】図６は、ＨｅＮＢのブロック図である。
【図７】図７は、ＨｅＮＢ ＧＷのブロック図である。
【図８】図８は、第１実施形態に係る動作シーケンス１のシーケンス図である。
【図９】図９は、第１実施形態に係る動作シーケンス２のシーケンス図である。
【図１０】図１０は、第２実施形態に係る動作シーケンス１のシーケンス図である。
【図１１】図１１は、第２実施形態に係る動作シーケンス２のシーケンス図である。
【発明を実施するための形態】
【００１１】
［実施形態の概要］
実施形態に係る通信制御方法は、特定セルを形成するホーム基地局と、前記特定セルへのユーザ端末のハンドオーバ手順において前記特定セルへのアクセス権について前記ユーザ端末の認証を行う移動管理装置と、を含む移動通信システムに適用される。前記通信制御方法は、前記ユーザ端末が、自身がアクセス可能な特定セルのリスト（いわゆる、ホワイトリスト）を更新するステップＡと、前記リストが更新されてからの経過時間（以下、「ホワイトリスト経過時間」と称する）が所定時間（以下、「ホワイトリスト保証時間」と称する）内であることに応じて、前記ハンドオーバ手順において前記移動管理装置による前記ユーザ端末の認証を省略するステップＢと、を有する。
【００１２】
このように、ホワイトリスト経過時間がホワイトリスト保証時間内である場合には、ホワイトリストの信頼性が高いとみなし、ハンドオーバ手順の過程において移動管理装置によるユーザ端末の認証を省略する。この場合、コアネットワークを経由しないハンドオーバ手順を適用できるため、特定セルへのハンドオーバ手順を効率化することができる。
【００１３】
本実施形態において、前記通信制御方法は、前記ユーザ端末が、前記ハンドオーバ手順の前において、前記特定セルに関する測定報告をサービングセルに送信するステップＣをさらに有し、前記ステップＣにおいて、前記ユーザ端末は、前記経過時間又は前記リストの更新時刻に関する所定情報を、前記測定報告と共に送信してもよい。
【００１４】
本実施形態において、前記所定情報は、前記経過時間が前記所定時間内であるか否かを示してもよい。
【００１５】
本実施形態において、前記ステップＡにおいて、前記ユーザ端末は、前記移動管理装置からのリスト更新メッセージに応じて前記リストを更新し、前記リスト更新メッセージは、前記所定時間を指定する情報を含んでもよい。
【００１６】
本実施形態において、前記通信制御方法は、前記サービングセルを形成する基地局が、前記特定セルへの前記ユーザ端末のハンドオーバを行うと判断した場合で、かつ、前記所定情報に基づいて前記経過時間が前記所定時間内であると判断した場合に、前記移動管理装置による前記ユーザ端末の認証を省略するとともに、ハンドオーバ要求を前記ホーム基地局に送信するステップＤをさらに有してもよい。
【００１７】
本実施形態において、前記通信制御方法は、前記基地局が、前記特定セルへの前記ユーザ端末のハンドオーバを行うと判断した場合で、かつ、前記所定情報に基づいて前記経過時間が前記所定時間を超過していると判断した場合に、前記ユーザ端末の認証を前記移動管理装置に要求するステップＥをさらに有してもよい。
【００１８】
本実施形態において、前記通信制御方法は、前記サービングセルを形成する基地局が、前記特定セルへの前記ユーザ端末のハンドオーバを行うと判断した場合に、ハンドオーバ要求と共に前記所定情報を前記ホーム基地局に送信するステップＦをさらに有してもよい。
【００１９】
本実施形態において、前記ホーム基地局が、前記所定情報に基づいて前記経過時間が前記所定時間内であると判断した場合に、前記移動管理装置による前記ユーザ端末の認証を省略するとともに、前記ハンドオーバ要求に対する応答を前記基地局に送信するステップＧをさらに有してもよい。
【００２０】
本実施形態において、前記ホーム基地局が、前記所定情報に基づいて前記経過時間が前記所定時間を超過していると判断した場合に、前記ユーザ端末の認証を前記移動管理装置に要求するステップＨをさらに有してもよい。
【００２１】
本実施形態に係るユーザ端末は、特定セルへのハンドオーバ手順において前記特定セルへのアクセス権について認証を行う移動管理装置を含む移動通信システムにおいて、サービングセルから前記特定セルへのハンドオーバを行うユーザ端末であって、自身がアクセス可能な特定セルのリストを更新する制御を行う制御部と、前記特定セルに関する測定報告を前記サービングセルに送信する送信部と、を有し、前記送信部は、前記リストが更新されてからの経過時間又は前記リストの更新時刻に関する所定情報を、前記測定報告と共に送信する。
【００２２】
本実施形態に係る基地局は、特定セルへのハンドオーバ手順において前記特定セルへのアクセス権について認証を行う移動管理装置と、自身がアクセス可能な特定セルのリストを更新するユーザ端末と、を含む移動通信システムにおいて、前記ユーザ端末のサービングセルを形成する基地局であって、前記リストが更新されてからの経過時間が所定時間内であることに応じて、前記ハンドオーバ手順において前記移動管理装置による前記ユーザ端末の認証を省略する制御を行う制御部を有する。
【００２３】
本実施形態に係るホーム基地局は、特定セルへのハンドオーバ手順において前記特定セルへのアクセス権について認証を行う移動管理装置と、自身がアクセス可能な特定セルのリストを更新するユーザ端末と、を含む移動通信システムにおいて、前記特定セルを形成するホーム基地局であって、前記リストが更新されてからの経過時間が所定時間内であることに応じて、前記ハンドオーバ手順において前記移動管理装置による前記ユーザ端末の認証を省略する制御を行う制御部を有する。
【００２４】
［第１実施形態］
本実施形態においては、リリース１０以降の３ＧＰＰ規格（すなわち、ＬＴＥ  Ａｄｖａｎｃｅｄ）に基づいて構成される移動通信システムを例に説明する。
【００２５】
以下において、（１）移動通信システムの概要、（２）ブロック構成、（３）第１実施形態に係る動作、（４）第１実施形態のまとめの順に説明する。
【００２６】
（１）移動通信システムの概要
図１は、本実施形態に係る移動通信システムの構成図である。図１に示すように、移動通信システムは、ユーザ端末（ＵＥ：Ｕｓｅｒ  Ｅｑｕｉｐｍｅｎｔ）１００と、基地局（ｅＮＢ：ｅｖｏｌｖｅｄ  Ｎｏｄｅ−Ｂ）２００と、移動管理装置（ＭＭＥ：Ｍｏｂｉｌｉｔｙ  Ｍａｎａｇｅｍｅｎｔ  Ｅｎｔｉｔｙ）３００と、ホーム基地局（ＨｅＮＢ：Ｈｏｍｅ  ｅｖｏｌｖｅｄ  Ｎｏｄｅ−Ｂ）４００と、ゲートウェイ装置（ＨｅＮＢ ＧＷ：Ｈｏｍｅ  ｅｖｏｌｖｅｄ  Ｎｏｄｅ−Ｂ  Ｇａｔｅｗａｙ）５００と、を有する。
【００２７】
ｅＮＢ２００、ＨｅＮＢ４００、及びＨｅＮＢ ＧＷ５００のそれぞれは、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０に含まれるネットワーク装置である。ＭＭＥ３００は、コアネットワーク（ＥＰＣ：Ｅｖｏｌｖｅｄ  Ｐａｃｋｅｔ  Ｃｏｒｅ）２０に含まれるネットワーク装置である。
【００２８】
ＵＥ１００は、ユーザが所持する移動型無線通信装置である。ＵＥ１００は、通信中の状態に相当する接続状態において、接続を確立したセル（「サービングセル」と称される）との無線通信を行う。
【００２９】
ＵＥ１００がユーザの移動に伴って移動する場合、ＵＥ１００のサービングセルの変更が必要になる。ＵＥ１００がＲＲＣ接続状態においてサービングセルを変更する動作は、「ハンドオーバ」と称される。ハンドオーバに係る一連の手順は、「ハンドオーバ手順」と称される。ハンドオーバ手順は、準備段階（Ｐｒｅｐａｒａｔｉｏｎ）と、実行段階（Ｅｘｅｃｕｔｉｏｎ）と、完了段階（Ｃｏｍｐｌｅｔｉｏｎ）と、を含む。
【００３０】
本実施形態では、ｅＮＢ２００のセルをサービングセルとするＵＥ１００は、ＨｅＮＢ４００のセルへ向けて移動しており、ｅＮＢ２００のセルからＨｅＮＢ４００のセルへのハンドオーバを行う。この場合、ハンドオーバ手順においてｅＮＢ２００のセルは「ソースセル」であり、ＨｅＮＢ４００のセルは「ターゲットセル」である。
【００３１】
ｅＮＢ２００は、マクロ基地局（ＭｅＮＢ）、ピコ基地局（ＰｅＮＢ）、又はホーム基地局（ＨｅＮＢ）である。本実施形態では、ｅＮＢ２００がＭｅＮＢである一例を想定して説明を進める。ｅＮＢ２００は、１又は複数のセルを形成する。ｅＮＢ２００は、ＵＥ１００との無線通信を行う。
【００３２】
ｅＮＢ２００は、自身のセル配下のＵＥ１００について、ハンドオーバの決定権を有する。詳細には、ｅＮＢ２００は、ＵＥ１００からの測定報告（Ｍｅａｓｕｒｅｍｅｎｔ  Ｒｅｐｏｒｔ）に基づいて、ＣＳＧセルへのＵＥ１００のハンドオーバを行うか否かを判断することができる。
【００３３】
ｅＮＢ２００は、ＥＰＣ２０との間の論理的な通信路であるＳ１インターフェイス上でＥＰＣ２０との通信を行う。詳細には、ｅＮＢ２００は、Ｓ１インターフェイスの一種であるＳ１−ＭＭＥインターフェイス上でＭＭＥ３００との通信を行う。さらに、ｅＮＢ２００は、隣接するＨｅＮＢ４００との間の論理的な通信路であるＸ２インターフェイス上で、当該隣接するＨｅＮＢ４００との基地局間通信を行うことができる。
【００３４】
ＭＭＥ３００は、制御情報を取り扱う制御プレーンに対応して設けられており、ＵＥ１００に対する各種モビリティ管理や認証処理などを行う。ＭＭＥ３００は、ＣＳＧセル／ハイブリッドセルへのアクセス権についてＵＥ１００の認証（以下、「ＣＳＧ認証」と称する）を行う。
【００３５】
ＣＳＧセルへの一般的なハンドオーバ手順は、Ｓ１インターフェイスを使用する。詳細には、ＭＭＥ３００は、ＵＥ１００のＣＳＧ認証、詳細にはＵＥ１００が当該ＣＳＧセルのメンバーＵＥであるか否かの確認を行う。ＵＥ１００が当該ＣＳＧセルのメンバーＵＥであることが確認された場合（すなわち、ＣＳＧ認証成功の場合）、当該ＣＳＧセルへのＵＥ１００のハンドオーバが可能になる。これに対し、ＵＥ１００が当該ＣＳＧセルのメンバーＵＥであることが確認されない場合（すなわち、ＣＳＧ認証失敗の場合）、当該ＣＳＧセルへのＵＥ１００のハンドオーバは拒否される。
【００３６】
ＨｅＮＢ４００は、屋内に設置可能な小規模な固定型無線通信装置である。ＨｅＮＢ４００は、セルよりもカバー範囲が狭い特定セルを形成する。特定セルは、設定されるアクセスモードに応じて、「ＣＳＧセル」、「ハイブリッドセル」、又は「オープンセル」と称される。
【００３７】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（ホワイトリスト）を保持しており、当該ホワイトリストと、ＣＳＧセルがブロードキャストするＣＳＧ  ＩＤと、に基づいて、アクセス権の有無を判断する。
【００３８】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００３９】
このように、ＵＥ１００は、ホワイトリストに基づいてアクセス権の有無を確認するものの、ＵＥ１００が管理しているホワイトリスト及びＭＭＥ３００が管理しているＣＳＧ加入者情報（ＣＳＧ  Ｓｕｂｓｃｒｉｐｔｉｏｎ  Ｄａｔａ）は、常に同期しているとは限らない。このため、基本的には、ＣＳＧセル又はハイブリッドセルへのＵＥ１００のハンドオーバ手順において、ＭＭＥ３００によるＵＥ１００のＣＳＧ認証が必要とされる。
【００４０】
オープンセルは、メンバーであるか否かを問わずＵＥ１００が同等に取り扱われるセルであり、ＣＳＧ  ＩＤをブロードキャストしない。ＵＥ１００の視点では、オープンセルはセルと同等である。
【００４１】
本実施形態では、ＨｅＮＢ４００のセル（特定セル）がＣＳＧセルである一例を想定して説明を進める。ただし、ＨｅＮＢ４００のセル（特定セル）は、ハイブリッドセルであってもよい。
【００４２】
ＨｅＮＢ４００は、Ｓ１インターフェイス（Ｓ１−ＭＭＥインターフェイス）上で、ＨｅＮＢ ＧＷ５００を介してＭＭＥ３００との通信を行う。ただし、ＨｅＮＢ４００は、ＨｅＮＢ ＧＷ５００を経由しないＳ１インターフェイスがＭＭＥ３００との間に確立されている場合には、ＨｅＮＢ ＧＷ５００を介さずにＭＭＥ３００と直接的に通信を行うこともできる。
【００４３】
ＨｅＮＢ４００は、Ｘ２インターフェイスによりｅＮＢ２００と接続されている。以下、Ｘ２インターフェイスによる接続を「Ｘ２接続」と称する。
【００４４】
ＨｅＮＢ ＧＷ５００は、ＥＰＣ２０（ＭＭＥ３００）と複数のＨｅＮＢ４００との間で当該複数のＨｅＮＢ４００の集合を管理する。ＭＭＥ３００の視点では、ＨｅＮＢ ＧＷ５００はＨｅＮＢ４００と同等である。これに対し、ＨｅＮＢ４００の視点では、ＨｅＮＢ ＧＷ５００はＭＭＥ３００と同等である。ＨｅＮＢ ＧＷ５００は、複数のＨｅＮＢ４００を代表してＭＭＥ３００との通信を行うことで、ＭＭＥ３００と送受信すべきトラフィックを削減する。また、ＨｅＮＢ ＧＷ５００は、自身の管理下にある一のＨｅＮＢ４００から他のＨｅＮＢ４００へのデータを中継することもできる。
【００４５】
図２は、本実施形態に係る移動通信システム（ＬＴＥシステム）で使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を採用する。
【００４６】
図２に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。
【００４７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用されるデータ領域である。
【００４８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用されるデータ領域である。
【００４９】
（２）ブロック構成
以下において、ＵＥ１００、ｅＮＢ２００、ＭＭＥ３００、ＨｅＮＢ４００、及びＨｅＮＢ ＧＷ５００のそれぞれのブロック構成を説明する。
【００５０】
（２．１）ＵＥ
図３は、ＵＥ１００のブロック図である。図３に示すように、ＵＥ１００は、無線送受信部１１０と、記憶部１２０と、制御部１３０と、を含む。
【００５１】
無線送受信部１１０は、無線信号を送受信する。
【００５２】
記憶部１２０は、制御部１３０による制御に使用される各種情報を記憶する。制御部１３０は、ＵＥ１００の各種の機能を制御する。制御部１３０は、接続状態において、サービングセルとの無線通信を行うよう無線送受信部１１０を制御する。
【００５３】
記憶部１２０は、ホワイトリストを記憶する。ホワイトリストは、制御部１３０によって更新される。制御部１３０は、接続状態において、ＭＭＥ３００からのホワイトリスト更新メッセージに応じて、ホワイトリストを更新する。制御部１３０は、ホワイトリストを更新してからの経過時間（ホワイトリスト経過時間）を管理する。例えば、制御部１３０は、ホワイトリストを更新する度にその時刻（更新時刻）を記録する。或いは、制御部１３０は、ホワイトリストを更新する際に、ホワイトリスト経過時間を計時するためのタイマを起動する。
【００５４】
記憶部１２０は、ホワイトリスト保証時間を記憶する。ホワイトリスト保証時間は、記憶部１２０に予め記憶された固定長の時間であってもよい。或いは、ＭＭＥ３００からのホワイトリスト更新メッセージにホワイトリスト保証時間が含まれる場合、制御部１３０は、当該ホワイトリスト更新メッセージに含まれるホワイトリスト保証時間で、記憶部１２０に記憶されているホワイトリスト保証時間を更新してもよい。
【００５５】
ホワイトリスト保証時間を固定長の時間とする場合、次のようにしてホワイトリスト保証時間を定めることができる。ＣＳＧメンバーの一種として、一時的なＣＳＧメンバー（Ｔｅｍｐｏｒａｒｙ  Ｍｅｍｂｅｒ）がある。このような一時的なＣＳＧメンバーとして設定可能な期間（以下、「メンバー期間」と称する）が例えば２．４時間から３日間の範囲内であるとすると、最短のメンバー期間である２．４時間をホワイトリスト保証時間とすればよい。
【００５６】
制御部１３０は、測定報告を送信すると判断した際に、管理しているホワイトリスト経過時間を、記憶部１２０に記憶されているホワイトリスト保証時間と比較する。そして、制御部１３０は、ホワイトリスト経過時間がホワイトリスト保証時間内であるか否かを示すホワイトリスト更新情報（Ｗｈｉｔｅｌｉｓｔ  Ｕｐｄａｔｅ  Ｉｎｆｏ．）を生成する。
【００５７】
また、記憶部１２０は、自身がアクセス権を有するＣＳＧセルの位置に関する位置情報（フィンガープリント情報）を記憶する。
【００５８】
制御部１３０は、ｅＮＢ２００のセルにおいて接続状態である際に、自身がアクセス権を有するＣＳＧセルの位置に関する位置情報（フィンガープリント情報）に基づいて、自身がアクセス権を有するＣＳＧセルの近傍に入ったことを検知すると、近接通知（Ｐｒｏｘｉｍｉｔｙ  Ｉｎｄｉｃａｔｉｏｎ）をｅＮＢ２００に送信するよう無線送受信部１１０を制御する。
【００５９】
当該近接通知に応じて、ＣＳＧセルに対する測定制御情報（Ｍｅａｓｕｒｅｍｅｎｔ  ｃｏｎｆｉｇｕｒａｔｉｏｎ）をｅＮＢ２００から無線送受信部１１０が受信すると、制御部１３０は、ＣＳＧセルの物理識別子（ＰＣＩ：Ｐｈｙｓｉｃａｌ  Ｃｅｌｌ  Ｉｄｅｎｔｉｆｉｅｒ）を含む測定報告をｅＮＢ２００に送信するよう無線送受信部１１０を制御する。
【００６０】
当該測定報告に応じて、報知情報（ＳＩ：Ｓｙｓｔｅｍ  Ｉｎｆｏｒｍａｔｉｏｎ）の取得を要求する要求情報（ＳＩ  request）をｅＮＢ２００から無線送受信部１１０が受信すると、制御部１３０は、ＣＳＧセルの報知情報を取得し、当該報知情報に基づく測定報告をｅＮＢ２００に送信するよう無線送受信部１１０を制御する。当該測定報告は、ＣＳＧセルの識別子（ＣＧＩ：Ｃｅｌｌ  Ｇｌｏｂａｌ  Ｉｄｅｎｔｉｆｉｅｒ）、トラッキングエリア識別子（ＴＡＩ：Ｔｒａｃｋｉｎｇ  Ａｒｅａ  Ｉｄｅｎｔｉｆｉｅｒ）、ＣＳＧ  ＩＤ、及び、ＣＳＧメンバーであるか否かを示すステータス情報（Ｍｅｍｂｅｒｓｈｉｐ  ｓｔａｔｕｓ）を含む。
【００６１】
制御部１３０は、測定報告と共に、ホワイトリスト更新情報を送信する。ホワイトリスト更新情報は、測定報告とは別個のメッセージとしてもよく、測定報告と共通のメッセージとしてもよい。本実施形態では、１ビットのホワイトリスト更新情報を測定報告に含める。例えば、ホワイトリスト経過時間がホワイトリスト保証時間内であれば“１”、そうでなければ“０”をホワイトリスト更新情報として設定する。
【００６２】
その後、ＣＳＧセルへのハンドオーバ指示（Ｈ．Ｏ．  Ｃｏｍｍａｎｄ）をｅＮＢ２００から無線送受信部１１０が受信すると、制御部１３０は、ＣＳＧセルとの接続（ＲＲＣコネクション）を確立する処理を開始する。
【００６３】
（２．２）ｅＮＢ
図４は、ｅＮＢ２００のブロック図である。図４に示すように、ｅＮＢ２００は、無線送受信部２１０と、ネットワーク通信部２２０と、記憶部２３０と、制御部２４０と、を含む。
【００６４】
無線送受信部２１０は、無線信号を送受信する。また、無線送受信部２１０は、１又は複数のセルを形成する。
【００６５】
ネットワーク通信部２２０は、Ｓ１インターフェイス上でＭＭＥ３００との通信を行う。ネットワーク通信部２２０は、Ｘ２インターフェイス上でＨｅＮＢ４００との基地局間通信を行う。
【００６６】
記憶部２３０は、制御部２４０による制御に使用される各種情報を記憶する。
【００６７】
制御部２４０は、ｅＮＢ２００の各種の機能を制御する。
【００６８】
配下のＵＥ１００からの近接通知（Ｐｒｏｘｉｍｉｔｙ  Ｉｎｄｉｃａｔｉｏｎ）を無線送受信部２１０が受信すると、制御部２４０は、ＣＳＧセルに対する測定を指示するための測定制御情報（Ｍｅａｓｕｒｅｍｅｎｔ  Ｃｏｎｆｉｇｕｒａｔｉｏｎ）をＵＥ１００に送信するよう無線送受信部２１０を制御する。
【００６９】
当該測定制御情報に応じて、ＣＳＧセルの物理識別子（ＰＣＩ：Ｐｈｙｓｉｃａｌ  Ｃｅｌｌ  Ｉｄｅｎｔｉｆｉｅｒ）を含む測定報告をＵＥ１００から無線送受信部２１０が受信すると、制御部２４０は、当該ＣＳＧセルの報知情報（ＳＩ：Ｓｙｓｔｅｍ  Ｉｎｆｏｒｍａｔｉｏｎ）の取得を要求する要求情報（ＳＩ  request）をＵＥ１００に送信するよう無線送受信部２１０を制御する。
【００７０】
当該要求情報に応じて、ＣＳＧセルの報知情報に基づく測定報告をＵＥ１００から無線送受信部２１０が受信すると、制御部２４０は、当該測定報告に基づいて、当該ＣＳＧセルへのＵＥ１００のハンドオーバを行うか否かを判断する。
【００７１】
当該測定報告は、ホワイトリスト更新情報を含む。制御部２４０は、測定報告に含まれるホワイトリスト更新情報に応じて、ＭＭＥ３００によるＵＥ１００のＣＳＧ認証を省略するか否かを判断する。詳細には、ホワイトリスト更新情報により、ホワイトリスト経過時間がホワイトリスト保証時間内であることが確認された場合、制御部２４０は、当該ＣＳＧ認証を省略すると判断する。これに対し、ホワイトリスト更新情報により、ホワイトリスト経過時間がホワイトリスト保証時間を超過していることが確認された場合、制御部２４０は、当該ＣＳＧ認証を実施すると判断する。
【００７２】
このように、ホワイトリストは、更新直後においては、ＭＭＥ３００が管理しているＣＳＧ加入者情報（ＣＳＧ  Ｓｕｂｓｃｒｉｐｔｉｏｎ  Ｄａｔａ）と同期がとれていると考えられることから、ホワイトリスト経過時間がホワイトリスト保証時間内であれば、ＭＭＥ３００によるＵＥ１００のＣＳＧ認証を省略する。
【００７３】
制御部２４０は、ＣＳＧセルへのＵＥ１００のハンドオーバを行うと判断した場合で、かつ、ホワイトリスト更新情報に基づいてＭＭＥ３００によるＵＥ１００のＣＳＧ認証を省略すると判断した場合に、ＭＭＥ３００によるＵＥ１００のＣＳＧ認証を省略するとともに、ハンドオーバ要求（Ｈ．Ｏ．  Ｒｅｑｕｅｓｔ）をＸ２インターフェイス上でＨｅＮＢ４００に送信するようネットワーク通信部２２０を制御する。
【００７４】
一方、制御部２４０は、ＣＳＧセルへのＵＥ１００のハンドオーバを行うと判断した場合で、かつ、ホワイトリスト更新情報に基づいてＭＭＥ３００によるＵＥ１００のＣＳＧ認証を実施すると判断した場合に、ＵＥ１００のＣＳＧ認証要求（ＣＳＧ  ｖｅｒｉｆｉｃａｔｉｏｎ  ｒｅｑｕｅｓｔ）をＳ１インターフェイス上でＭＭＥ３００に送信するようネットワーク通信部３１０を制御する。当該ＣＳＧ認証要求は、当該ＣＳＧセルのＣＳＧ  ＩＤ及びＵＥ１００の識別情報を含む。
【００７５】
ＣＳＧ認証成功を示す認証結果（ＣＳＧ  ｖｅｒｉｆｉｃａｔｉｏｎ  Ａｃｋ）がＭＭＥ３００から得られた場合、制御部２４０は、ハンドオーバ要求（Ｈ．Ｏ．  Ｒｅｑｕｅｓｔ）をＸ２インターフェイス上でＨｅＮＢ４００に送信するようネットワーク通信部２２０を制御する。ＣＳＧ認証失敗を示す認証結果（ＣＳＧ  ｖｅｒｉｆｉｃａｔｉｏｎ  Ｎａｃｋ）がＭＭＥ３００から得られた場合、制御部２４０は、ＣＳＧセルへのＵＥ１００のハンドオーバを中止する。
【００７６】
その後、ハンドオーバ要求に対する肯定応答（Ｈ．Ｏ．  Ｒｅｑｕｅｓｔ  Ａｃｋ）がＨｅＮＢ４００から得られた場合には、制御部２４０は、ＣＳＧセルへのハンドオーバの指示（Ｈ．Ｏ．  Ｃｏｍｍａｎｄ）をＵＥ１００に送信するよう無線送受信部２１０を制御する。
【００７７】
（２．３）ＭＭＥ
図５は、ＭＭＥ３００のブロック図である。図５に示すように、ＭＭＥ３００は、ネットワーク通信部３１０と、記憶部３２０と、制御部３３０と、を含む。
【００７８】
ネットワーク通信部３１０は、Ｓ１インターフェイス上でｅＮＢ２００及びＨｅＮＢ ＧＷ５００との通信を行う。
【００７９】
記憶部３２０は、制御部３３０による制御に使用される各種情報を記憶する。記憶部３２０は、ＵＥ１００のアクセス権に関するＣＳＧ加入者情報（ＣＳＧ  Ｓｕｂｓｃｒｉｐｔｉｏｎ  Ｄａｔａ）を記憶する。ＣＳＧ加入者情報は、ＵＥ１００の識別子と、当該ＵＥ１００がアクセス権を有する各ＣＳＧセルのＣＳＧ  ＩＤとを対応付けたものである。
【００８０】
制御部３３０は、ＭＭＥ３００の各種の機能を制御する。
【００８１】
制御部３３０は、ＣＳＧ加入者情報の更新を行う場合に、該当するＵＥ１００に対して、当該ＵＥ１００のホワイトリストを更新するためのホワイトリスト更新メッセージを送信するようネットワーク通信部３１０を制御してもよい。その際、制御部３３０は、ホワイトリスト保証時間を指定する情報をホワイトリスト更新メッセージに含めてもよい。
【００８２】
ホワイトリスト保証時間を指定可能とする場合において、上述した一時的なＣＳＧメンバー（Ｔｅｍｐｏｒａｒｙ  Ｍｅｍｂｅｒ）についてホワイトリストを更新する際は、メンバー期間に応じた時間長のホワイトリスト保証時間とすることができる。
【００８３】
ＵＥ１００のＣＳＧ認証要求（ＣＳＧ  ｖｅｒｉｆｉｃａｔｉｏｎ  ｒｅｑｕｅｓｔ）をｅＮＢ２００からネットワーク通信部３１０が受信すると、制御部３３０は、当該ＣＳＧ認証要求に含まれるＣＳＧ  ＩＤ及びＵＥ１００の識別情報と、記憶部３２０に記憶されているＣＳＧ加入者情報とに基づいて、当該ＵＥ１００のＣＳＧ認証を行う。
【００８４】
ＣＳＧ認証要求に含まれるＣＳＧ  ＩＤ及びＵＥ１００の識別情報がＣＳＧ加入者情報において対応付けられている場合、制御部３３０は、ＣＳＧ認証成功と判断し、ＣＳＧ認証成功を示す応答（ＣＳＧ  ｖｅｒｉｆｉｃａｔｉｏｎ  Ａｃｋ）をＳ１インターフェイス上でｅＮＢ２００に送信するようネットワーク通信部３１０を制御する。
【００８５】
一方、ＣＳＧ認証要求に含まれるＣＳＧ  ＩＤ及びＵＥ１００の識別情報がＣＳＧ加入者情報において対応付けられていない場合、制御部３３０は、ＣＳＧ認証失敗と判断し、ＣＳＧ認証失敗を示す応答（ＣＳＧ  ｖｅｒｉｆｉｃａｔｉｏｎ  Ｎａｃｋ）をＳ１インターフェイス上でｅＮＢ２００に送信するようネットワーク通信部３１０を制御する。
【００８６】
（２．４）ＨｅＮＢ
図６は、ＨｅＮＢ４００のブロック図である。図６に示すように、ＨｅＮＢ４００は、無線送受信部４１０と、ネットワーク通信部４２０と、記憶部４３０と、制御部４４０と、を含む。
【００８７】
無線送受信部４１０は、無線信号を送受信する。本実施形態では、無線送受信部４１０は、ＣＳＧセルを形成する。ＣＳＧセル（無線送受信部４１０）は、報知情報をＢＣＣＨ（Ｂｒｏａｄｃａｓｔ  Ｃｏｎｔｒｏｌ  Ｃｈａｎｎｅｌ）上で送信する。当該報知情報は、ＣＧＩ、ＴＡＩ、及びＣＳＧ  ＩＤを含む。
【００８８】
ネットワーク通信部４２０は、Ｓ１インターフェイス上で、ＨｅＮＢ ＧＷ５００を介してＭＭＥ３００との通信を行う。ネットワーク通信部４２０は、Ｘ２インターフェイス上でｅＮＢ２００との基地局間通信を行う。
【００８９】
記憶部４３０は、制御部４４０による制御に使用される各種情報を記憶する。
【００９０】
制御部４４０は、ＨｅＮＢ４００の各種の機能を制御する。
【００９１】
ｅＮＢ２００からのハンドオーバ要求をネットワーク通信部４２０が受信すると、制御部４４０は、当該ハンドオーバ要求を許可するか否かを判断する。制御部４４０は、当該ハンドオーバ要求を許可すると判断すると、当該ハンドオーバ要求に対する肯定応答（ＨＯ  Ｒｅｑｕｅｓｔ  Ａｃｋ）をＸ２インターフェイス上でｅＮＢ２００に送信するようネットワーク通信部４２０を制御する。これに対し、制御部４４０は、当該ハンドオーバ要求を拒否すると判断すると、当該ハンドオーバ要求に対する否定応答（ＨＯ  Ｒｅｑｕｅｓｔ  Ｎａｃｋ）をＸ２インターフェイス上でｅＮＢ２００に送信するようネットワーク通信部４２０を制御する。
【００９２】
（２．５）ＨｅＮＢ ＧＷ
図７は、ＨｅＮＢ ＧＷ５００のブロック図である。図７に示すように、ＨｅＮＢ ＧＷ５００は、ネットワーク通信部５１０と、記憶部５２０と、制御部５３０と、を含む。
【００９３】
ネットワーク通信部５１０は、Ｓ１インターフェイス上でＭＭＥ３００及びＨｅＮＢ４００との通信を行う。
【００９４】
記憶部５２０は、制御部５３０による制御に使用される各種情報を記憶する。記憶部５２０には、ＨｅＮＢ ＧＷ５００の管理下にあるＨｅＮＢ４００が登録されている。
【００９５】
制御部５３０は、ＨｅＮＢ ＧＷ５００の各種の機能を制御する。制御部５３０は、複数のＨｅＮＢ４００の集合を管理する。制御部５３０は、複数のＨｅＮＢ４００を代表してＭＭＥ３００との通信を行うようネットワーク通信部５１０を制御する。
【００９６】
（３）第１実施形態に係る動作
以下において、本実施形態に係る移動通信システムの動作シーケンス１及び２を説明する。
【００９７】
動作シーケンス１は、ＵＥ１００においてホワイトリストを更新してから、ホワイトリスト保証時間内にＣＳＧセルへのハンドオーバを行う場合の動作シーケンスである。
【００９８】
動作シーケンス２は、ＵＥ１００においてホワイトリストを更新してから、ホワイトリスト保証時間経過後にＣＳＧセルへのハンドオーバを行う場合の動作シーケンスである。
【００９９】
（３．１）動作シーケンス１
図８は、本実施形態に係る動作シーケンス１のシーケンス図である。本シーケンスの初期状態において、ＵＥ１００は接続状態であり、ｅＮＢ２００のセルをサービングセルとして通信を行っている。
【０１００】
図８に示すように、ステップＳ１０１において、ＭＭＥ３００は、ＵＥ１００のホワイトリストを更新するためのホワイトリスト更新メッセージを、ｅＮＢ２００を介してＵＥ１００に送信する。ホワイトリスト更新メッセージは、ホワイトリスト保証時間を指定する情報を含む。
【０１０１】
ステップＳ１０２において、ＵＥ１００は、ＭＭＥ３００からのホワイトリスト更新メッセージに応じて、自身のホワイトリストを更新するとともに、ホワイトリスト更新時刻を記録し、かつ、ホワイトリスト更新メッセージに含まれるホワイトリスト保証時間を記憶する。ただし、ＵＥ１００は、ホワイトリスト更新時刻を記録することに代えて、ホワイトリスト経過時間を計時するためのタイマを起動してもよい。
【０１０２】
ステップＳ１０３において、ＵＥ１００は、ＨｅＮＢ４００からの報知情報をＢＣＣＨ上で受信する。
【０１０３】
ステップＳ１０４において、ＵＥ１００は、測定報告を送信すべきトリガが発生したことに応じて、サービングセル（ｅＮＢ２００）への測定報告を送信すると判断する。
【０１０４】
ステップＳ１０５において、ＵＥ１００は、ステップＳ１０１で記録したホワイトリスト更新時刻と現在時刻とに基づいてホワイトリスト経過時間を算出する。或いは、ＵＥ１００は、上述したタイマの値に基づいてホワイトリスト経過時間を取得する。ＵＥ１００は、ホワイトリスト経過時間がホワイトリスト保証時間内であるか否かを判断する。ここでは、ホワイトリスト経過時間がホワイトリスト保証時間内であると判断されたと仮定して説明を進める。
【０１０５】
ステップＳ１０６において、ＵＥ１００は、ＣＧＩ、ＴＡＩ、ＣＳＧ  ＩＤ、Ｍｅｍｂｅｒｓｈｉｐ  ｓｔａｔｕｓ、及びホワイトリスト更新情報（Ｗｈｉｔｅｌｉｓｔ  Ｕｐｄａｔｅ  Ｉｎｆｏ．）を含む測定報告をｅＮＢ２００に送信する。当該ホワイトリスト更新情報は、ホワイトリスト経過時間がホワイトリスト保証時間内であることを示している。
【０１０６】
ステップＳ１０７において、ｅＮＢ２００は、ＵＥ１００からの測定報告に基づいて、ＨｅＮＢ４００のＣＳＧセルへのＵＥ１００のハンドオーバを行うと判断する。ＣＳＧセルへのＵＥ１００のハンドオーバを行うと判断した時点から、ハンドオーバ手順における準備段階（Ｐｒｅｐａｒａｔｉｏｎ）が開始する。また、ｅＮＢ２００は、当該測定報告に含まれるホワイトリスト更新情報に基づいて、ＭＭＥ３００によるＵＥ１００のＣＳＧ認証を省略するか否かを判断する。ここでは、ｅＮＢ２００は、ホワイトリスト更新情報により、ホワイトリスト経過時間がホワイトリスト保証時間内であることを確認して、当該ＣＳＧ認証を省略すると判断する。
【０１０７】
ステップＳ１０８において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓを含む。ＨｅＮＢ４００は、ｅＮＢ２００からのハンドオーバ要求を受信すると、当該ハンドオーバ要求に基づいて、当該ハンドオーバ要求を許可するか否かを判断する。ここでは、当該ハンドオーバ要求を許可すると仮定して説明を進める。
【０１０８】
ステップＳ１０９において、ＨｅＮＢ４００は、ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１０９】
ステップＳ１１０において、ｅＮＢ２００は、ＨｅＮＢ４００からの肯定応答（Ｈ．Ｏ．  Ｒｅｑｕｅｓｔ  Ａｃｋ）を受信したことに応じて、ＣＳＧセルへのハンドオーバの指示（Ｈ．Ｏ．  Ｃｏｍｍａｎｄ）をＵＥ１００に送信する。
【０１１０】
（３．２）動作シーケンス２
図９は、本実施形態に係る動作シーケンス２のシーケンス図である。本シーケンスでは、動作シーケンス１との相違点を主として説明する。
【０１１１】
図９に示すように、ステップＳ２０１からステップＳ２０４は、動作シーケンス１のステップＳ１０１からステップＳ１０４と同様にして行われる。
【０１１２】
ステップＳ２０５において、ＵＥ１００は、ホワイトリスト経過時間がホワイトリスト保証時間内であるか否かを判断する。ここでは、ホワイトリスト経過時間がホワイトリスト保証時間を超過していると判断されたと仮定して説明を進める。
【０１１３】
ステップＳ２０６において、ＵＥ１００は、ＣＧＩ、ＴＡＩ、ＣＳＧ  ＩＤ、Ｍｅｍｂｅｒｓｈｉｐ  ｓｔａｔｕｓ、及びホワイトリスト更新情報（Ｗｈｉｔｅｌｉｓｔ  Ｕｐｄａｔｅ  Ｉｎｆｏ．）を含む測定報告をｅＮＢ２００に送信する。当該ホワイトリスト更新情報は、ホワイトリスト経過時間がホワイトリスト保証時間を超過していることを示している。
【０１１４】
ステップＳ２０７において、ｅＮＢ２００は、ＵＥ１００からの測定報告に基づいて、ＨｅＮＢ４００のＣＳＧセルへのＵＥ１００のハンドオーバを行うと判断する。また、ｅＮＢ２００は、当該測定報告に含まれるホワイトリスト更新情報に基づいて、ＭＭＥ３００によるＵＥ１００のＣＳＧ認証を省略するか否かを判断する。ここでは、ｅＮＢ２００は、ホワイトリスト更新情報により、ホワイトリスト経過時間がホワイトリスト保証時間を超過していることを確認して、当該ＣＳＧ認証を実施すると判断する。
【０１１５】
ステップＳ２０８において、ｅＮＢ２００は、ＵＥ１００のＣＳＧ認証要求（ＣＳＧ  ｖｅｒｉｆｉｃａｔｉｏｎ  ｒｅｑｕｅｓｔ）をＳ１インターフェイス上でＭＭＥ３００に送信する。当該ＣＳＧ認証要求は、ＣＳＧセルのＣＳＧ  ＩＤ及びＵＥ１００の識別情報を含む。
【０１１６】
ステップＳ２０９において、ＭＭＥ３００は、ＣＳＧ認証結果を示す応答（ＣＳＧ  ｖｅｒｉｆｉｃａｔｉｏｎ  ｒｅｓｐｏｎｓｅ）をＳ１インターフェイス上でｅＮＢ２００に送信する。ここでは、当該応答が認証成功（Ａｃｋ）を示すと仮定して説明を進める。
【０１１７】
ステップＳ２１０において、ｅＮＢ２００は、ＣＳＧ認証成功に応じて、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。以降のステップＳ２１１及びステップＳ２１２は、動作シーケンス１と同様にして行われる。
【０１１８】
（４）第１実施形態のまとめ
以上説明したように、ＣＳＧセルを形成するＨｅＮＢ４００と、ＣＳＧセルへのＵＥ１００のハンドオーバ手順においてＣＳＧセルへのアクセス権についてＵＥ１００のＣＳＧ認証を行うＭＭＥ３００と、を含む移動通信システムにおいて、ホワイトリスト経過時間がホワイトリスト保証時間内であることに応じて、ハンドオーバ手順においてＭＭＥ３００によるＵＥ１００のＣＳＧ認証が省略される。
【０１１９】
詳細には、ホワイトリストは、更新直後においては、ＭＭＥ３００が管理しているＣＳＧ加入者情報（ＣＳＧ  Ｓｕｂｓｃｒｉｐｔｉｏｎ  Ｄａｔａ）と同期がとれていると考えられることから、ホワイトリスト経過時間がホワイトリスト保証時間内であれば、ホワイトリストの信頼性が高いとみなし、ＭＭＥ３００によるＵＥ１００のＣＳＧ認証を省略する。この場合、ＥＰＣ２０を経由しないハンドオーバ手順を適用できるため、ＣＳＧセルへのハンドオーバ手順を効率化することができる。
【０１２０】
本実施形態では、ＵＥ１００は、ハンドオーバ手順の前において、サービングセル（ｅＮＢ２００）に対して、ＣＳＧセルに関する測定報告と共にホワイトリスト更新情報を送信する。ホワイトリスト更新情報は、ホワイトリスト経過時間がホワイトリスト保証時間内であるか否かを示す。
【０１２１】
このように、ＣＳＧセルに関する測定報告と共にホワイトリスト更新情報を送信することによって、ｅＮＢ２００は、ＵＥ１００からの測定報告を受信した際に、ホワイトリスト経過時間がホワイトリスト保証時間内であるか否かを把握できる。したがって、ハンドオーバ手順を開始するにあたり、ＥＰＣ２０を経由しないハンドオーバ手順の適用可否を判断できる。
【０１２２】
本実施形態では、ＵＥ１００は、ＭＭＥ３００からのホワイトリスト更新メッセージに応じてホワイトリストを更新する。ホワイトリスト更新メッセージは、ホワイトリスト保証時間を指定する情報を含む。
【０１２３】
このように、ホワイトリスト保証時間を指定する情報をホワイトリスト更新メッセージに含めることによって、ホワイトリスト保証時間をＥＰＣ２０側で指定できるため、ホワイトリスト保証時間を必要に応じて変更することができる。
【０１２４】
本実施形態では、ｅＮＢ２００は、ＣＳＧセルへのＵＥ１００のハンドオーバを行うと判断した場合で、かつ、ホワイトリスト更新情報に基づいてホワイトリスト経過時間がホワイトリスト保証時間内であると判断した場合に、ＭＭＥ３００によるＵＥ１００のＣＳＧ認証を省略するとともに、ハンドオーバ要求をＨｅＮＢ４００に送信する。
【０１２５】
このように、ＣＳＧセルへのハンドオーバを行うと判断した際に、ホワイトリスト経過時間がホワイトリスト保証時間内であれば、ハンドオーバ要求をＸ２インターフェイス上でＨｅＮＢ４００に送信することで、速やかにＣＳＧセルへのハンドオーバを行うことができる。
【０１２６】
本実施形態では、ｅＮＢ２００は、ＣＳＧセルへのＵＥ１００のハンドオーバを行うと判断した場合で、かつ、ホワイトリスト更新情報に基づいてホワイトリスト経過時間がホワイトリスト保証時間を超過していると判断した場合に、ＵＥ１００のＣＳＧ認証をＭＭＥ３００に要求する。
【０１２７】
このように、ＣＳＧセルへのハンドオーバを行うと判断した際に、ホワイトリスト経過時間がホワイトリスト保証時間を超過していれば、ＵＥ１００のＣＳＧ認証をＭＭＥ３００に要求することで、ＣＳＧセルへのＵＥ１００のハンドオーバを可能な状態にすることができる。
【０１２８】
［第２実施形態］
以下、第２実施形態について、第１実施形態との相違点を説明する。第１実施形態では、ＭＭＥ３００によるＵＥ１００のＣＳＧ認証を省略するか否かの判断をｅＮＢ２００が行っていた。これに対し、第２実施形態では、ＭＭＥ３００によるＵＥ１００のＣＳＧ認証を省略するか否かの判断をＨｅＮＢ４００が行う。
【０１２９】
（１）第２実施形態に係る動作
以下において、本実施形態に係る移動通信システムの動作シーケンス１及び２を説明する。
【０１３０】
動作シーケンス１は、ＵＥ１００においてホワイトリストを更新してから、ホワイトリスト保証時間内にＣＳＧセルへのハンドオーバを行う場合の動作シーケンスである。
【０１３１】
動作シーケンス２は、ＵＥ１００においてホワイトリストを更新してから、ホワイトリスト保証時間経過後にＣＳＧセルへのハンドオーバを行う場合の動作シーケンスである。
【０１３２】
（１．１）動作シーケンス１
図１０は、本実施形態に係る動作シーケンス１のシーケンス図である。本シーケンスの初期状態において、ＵＥ１００は接続状態であり、ｅＮＢ２００のセルをサービングセルとして通信を行っている。
【０１３３】
図１０に示すように、ステップＳ３０１からステップＳ３０５は、第１実施形態に係る動作シーケンス１と同様にして行われる。
【０１３４】
ステップＳ３０６において、ｅＮＢ２００は、ＵＥ１００からの測定報告に基づいて、ＨｅＮＢ４００のＣＳＧセルへのＵＥ１００のハンドオーバを行うと判断する。ＣＳＧセルへのＵＥ１００のハンドオーバを行うと判断した時点から、ハンドオーバ手順における準備段階（Ｐｒｅｐａｒａｔｉｏｎ）が開始する。第１実施形態とは異なり、ｅＮＢ２００は、当該測定報告に含まれるホワイトリスト更新情報に基づくＣＳＧ認証省略の可否判断を行わないことに留意すべきである。
【０１３５】
ステップＳ３０７において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓに加えて、ＵＥ１００からの測定報告に含まれていたホワイトリスト更新情報（Ｗｈｉｔｅｌｉｓｔ  Ｕｐｄａｔｅ  Ｉｎｆｏ．）を含む。本シーケンスでは、当該ホワイトリスト更新情報は、ホワイトリスト経過時間がホワイトリスト保証時間内であることを示している。
【０１３６】
ステップＳ３０８において、ＨｅＮＢ４００は、ｅＮＢ２００からのハンドオーバ要求を受信すると、当該ハンドオーバ要求に基づいて、当該ハンドオーバ要求を許可するか否かを判断する。詳細には、当該ハンドオーバ要求に含まれるホワイトリスト更新情報に基づいて、ＭＭＥ３００によるＵＥ１００のＣＳＧ認証を省略するか否かを判断する。ここでは、ｅＮＢ２００は、ホワイトリスト更新情報により、ホワイトリスト経過時間がホワイトリスト保証時間内であることを確認して、当該ＣＳＧ認証を省略すると判断する。
【０１３７】
ステップＳ３０９において、ＨｅＮＢ４００は、ｅＮＢ２００からのハンドオーバ要求を許可すると判断して、当該ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１３８】
ステップＳ３１０において、ｅＮＢ２００は、ＨｅＮＢ４００からの肯定応答（Ｈ．Ｏ．  Ｒｅｑｕｅｓｔ  Ａｃｋ）を受信したことに応じて、ＣＳＧセルへのハンドオーバの指示（Ｈ．Ｏ．  Ｃｏｍｍａｎｄ）をＵＥ１００に送信する。
【０１３９】
（１．２）動作シーケンス２
図１１は、本実施形態に係る動作シーケンス２のシーケンス図である。
【０１４０】
図１１に示すように、ステップＳ４０１からステップＳ４０５は、第１実施形態に係る動作シーケンス２と同様にして行われる。
【０１４１】
ステップＳ４０６において、ｅＮＢ２００は、ＵＥ１００からの測定報告に基づいて、ＨｅＮＢ４００のＣＳＧセルへのＵＥ１００のハンドオーバを行うと判断する。第１実施形態とは異なり、ｅＮＢ２００は、当該測定報告に含まれるホワイトリスト更新情報に基づくＣＳＧ認証省略の可否判断を行わないことに留意すべきである。
【０１４２】
ステップＳ４０７において、ｅＮＢ２００は、ＵＥ１００の受け入れを要求するためのハンドオーバ要求（Ｈ．Ｏ．  Ｒｅｑｕｅｓｔ）をＸ２インターフェイス上でＨｅＮＢ４００に送信する。当該ハンドオーバ要求は、Ｍｅｍｂｅｒｓｈｉｐ  ｓｔａｔｕｓに加えて、ＵＥ１００からの測定報告に含まれていたホワイトリスト更新情報（Ｗｈｉｔｅｌｉｓｔ  Ｕｐｄａｔｅ  Ｉｎｆｏ．）を含む。本シーケンスでは、当該ホワイトリスト更新情報は、ホワイトリスト経過時間がホワイトリスト保証時間を超過することを示している。
【０１４３】
ステップＳ４０８において、ＨｅＮＢ４００は、ｅＮＢ２００からのハンドオーバ要求を受信すると、当該ハンドオーバ要求に基づいて、当該ハンドオーバ要求を許可するか否かを判断する。詳細には、当該ハンドオーバ要求に含まれるホワイトリスト更新情報に基づいて、ＭＭＥ３００によるＵＥ１００のＣＳＧ認証を省略するか否かを判断する。ここでは、ｅＮＢ２００は、ホワイトリスト更新情報により、ホワイトリスト経過時間がホワイトリスト保証時間を超過していることを確認して、当該ＣＳＧ認証を実施すると判断する。
【０１４４】
ステップＳ４０９において、ＨｅＮＢ４００は、ＵＥ１００のＣＳＧ認証要求（ＣＳＧ  ｖｅｒｉｆｉｃａｔｉｏｎ  ｒｅｑｕｅｓｔ）をＳ１インターフェイス上でＭＭＥ３００に送信する。当該ＣＳＧ認証要求は、ＣＳＧセルのＣＳＧ  ＩＤ及びＵＥ１００の識別情報を含む。
【０１４５】
ステップＳ４１０において、ＭＭＥ３００は、ＣＳＧ認証結果を示す応答（ＣＳＧ  ｖｅｒｉｆｉｃａｔｉｏｎ  ｒｅｓｐｏｎｓｅ）をＳ１インターフェイス上でＨｅＮＢ４００に送信する。ここでは、当該応答が認証成功（Ａｃｋ）を示すと仮定して説明を進める。
【０１４６】
ステップＳ４１１において、ＨｅＮＢ４００は、ｅＮＢ２００からのハンドオーバ要求を許可すると判断して、当該ハンドオーバ要求に対する肯定応答（Ｈ．Ｏ．  Ｒｅｑｕｅｓｔ  Ａｃｋ）をＸ２インターフェイス上でｅＮＢ２００に送信する。
【０１４７】
ステップＳ４１２において、ｅＮＢ２００は、ＨｅＮＢ４００からの肯定応答（Ｈ．Ｏ．  Ｒｅｑｕｅｓｔ  Ａｃｋ）を受信したことに応じて、ＣＳＧセルへのハンドオーバの指示（Ｈ．Ｏ．  Ｃｏｍｍａｎｄ）をＵＥ１００に送信する。
【０１４８】
（２）第２実施形態のまとめ
以上説明したように、本実施形態では、ｅＮＢ２００は、ＣＳＧセルへのＵＥ１００のハンドオーバを行うと判断した場合に、ハンドオーバ要求と共にホワイトリスト更新情報をＨｅＮＢ４００に送信する。
【０１４９】
このように、ハンドオーバ要求と共にホワイトリスト更新情報をＨｅＮＢ４００に送信することによって、ＨｅＮＢ４００は、当該ホワイトリスト更新情報に基づいて、当該ハンドオーバ要求を許可するか否かを判断することができる。
【０１５０】
本実施形態では、ＨｅＮＢ４００は、ホワイトリスト更新情報に基づいてホワイトリスト経過時間がホワイトリスト保証時間内であると判断した場合に、ＭＭＥ３００によるＵＥ１００のＣＳＧ認証を省略するとともに、ハンドオーバ要求に対する応答をｅＮＢ２００に送信する。
【０１５１】
このように、ＨｅＮＢ４００は、ＵＥ１００の正当性（すなわち、ホワイトリストの正当性）を確認した上で、ｅＮＢ２００からのハンドオーバ要求を許可することができる。
【０１５２】
本実施形態では、ＨｅＮＢ４００は、ホワイトリスト更新情報に基づいてホワイトリスト経過時間がホワイトリスト保証時間を超過していると判断した場合に、ＵＥ１００のＣＳＧ認証をＭＭＥ３００に要求する。
【０１５３】
このように、ＨｅＮＢ４００は、ＵＥ１００の正当性（すなわち、ホワイトリストの正当性）を確認できなければ、ＵＥ１００のＣＳＧ認証をＭＭＥ３００に要求することで、ＣＳＧセルへのＵＥ１００のハンドオーバを可能な状態にすることができる。
【０１５４】
［その他の実施形態］
上記のように、本発明は各実施形態によって記載したが、この開示の一部をなす論述及び図面はこの発明を限定するものであると理解すべきではない。
【０１５５】
例えば、上述した各実施形態では、ＣＳＧセルへのハンドオーバ手順を主として説明したが、ハイブリッドセルへのハンドオーバ手順に対して本発明を適用してもよい。
【０１５６】
また、上述した各実施形態では、ホワイトリスト更新情報（Ｗｈｉｔｅｌｉｓｔ  Ｕｐｄａｔｅ  Ｉｎｆｏ．）は、ホワイトリスト経過時間がホワイトリスト保証時間内であるか否かを示す情報である一例を説明した。
【０１５７】
しかしながら、ホワイトリスト更新情報は、ホワイトリスト更新時刻を示す情報であってもよい。この場合、基地局（ｅＮＢ２００又はＨｅＮＢ４００）側でホワイトリスト経過時間を算出することになる。
【０１５８】
また、ホワイトリスト更新情報は、ホワイトリスト経過時間又はホワイトリスト更新時刻に基づく情報であればよく、単に「ＭＭＥ３００によるＣＳＧ認証が必要とされるか否か（すなわち、ＵＥ１００がＣＳＧメンバーであることが保証されているか否か）」を示す情報としてもよい。
【０１５９】
なお、米国仮出願第６１／６１２０３５号（２０１２年３月１６日出願）の全内容が、参照により、本願明細書に組み込まれている。
【産業上の利用可能性】
【０１６０】
以上のように、本発明に係る通信制御方法、ユーザ端末、基地局、及びホーム基地局は、特定セルへのハンドオーバ手順を効率化することができるため、移動通信分野において有用である。
【図１】
0005851585.tif 000002
【図２】
0005851585.tif 000003
【図３】
0005851585.tif 000004
【図４】
0005851585.tif 000005
【図５】
0005851585.tif 000006
【図６】
0005851585.tif 000007
【図７】
0005851585.tif 000008
【図８】
0005851585.tif 000009
【図９】
0005851585.tif 000010
【図１０】
0005851585.tif 000011
【図１１】
0005851585.tif 000012